(57)【特許請求の範囲】
【請求項１】
周縁に鍔部が設けられた前面部とこの前面部の背面側に位置する前記鍔部よりも幅の小さい機器後部とを備えたパネル計器を、前記機器後部をパネルに設けられた計器取付孔に嵌め込み、前記鍔部を前記パネルの前面に押し付けて、前記パネルに取り付けるパネル計器の取付方法であって、
横幅が前記計器取付孔の横幅よりも短く、かつ、縦幅が前記計器取付孔の縦幅よりも長い取付ブラケットを、前記機器後部の背面内の上方に横方向に離間して設けられた少なくとも２箇所のネジ穴に前記取付ブラケットに形成されている貫通孔を通してネジを緩く螺着して、前記パネル計器に取り付ける第１工程と、
前記パネル計器に取り付けられた取付ブラケットを前記機器後部の背面内の上方のネジ穴に緩く螺着されたネジの隙間を遊びとして斜めに持ち上げる第２工程と、
前記パネルの前面側より、前記斜めに持ち上げた取付ブラケットの下方を前記計器取付孔に挿入する第３工程と、
前記パネルの前面側より、前記計器取付孔に挿入した取付ブラケットの下方を前記パネルの背面側に落とし込みながら、前記取付ブラケットの上方を前記計器取付孔に挿入する第４工程と、
前記パネルの前面側より、前記計器取付孔を通り抜けた取付ブラケットを前記パネルの背面側に位置させた状態で、前記機器後部の外周面を前記計器取付孔の内周面に当接させて、前記パネル計器を前記パネルに仮固定する第５工程と、
前記パネルの背面側より、前記パネルに仮固定されたパネル計器の機器後部の背面内の上方のネジ穴に緩く螺着されたネジを締め付けて、また前記機器後部の背面内の下方に設けられているネジ穴に前記取付ブラケットに形成されている貫通孔を通してネジを締め付けて、前記取付ブラケットを前記パネル計器に固定する第６工程と、
前記パネルの背面側より、前記パネル計器に固定された取付ブラケットを前記パネル計器の鍔部が前記パネルの前面に押し付けられるようにして固定する第７工程と
を備えることを特徴とするパネル計器の取付方法。
【請求項２】
周縁に鍔部が設けられた前面部とこの前面部の背面側に位置する前記鍔部よりも幅の小さい機器後部とを備えたパネル計器を、前記機器後部をパネルに設けられた計器取付孔に嵌め込み、前記鍔部を前記パネルの前面に押し付けて、前記パネルに取り付けるパネル計器の取付方法であって、
横幅が前記計器取付孔の横幅よりも短く、かつ、縦幅が前記計器取付孔の縦幅よりも長い取付ブラケットを、前記機器後部の背面内の上方に横方向に離間して設けられた少なくとも２箇所のネジ穴に前記取付ブラケットに形成されている貫通孔を通してネジを緩く螺着して、前記パネル計器に取り付ける第１工程と、
前記パネル計器に取り付けられた取付ブラケットを前記機器後部の背面内の上方のネジ穴に緩く螺着されたネジの隙間を遊びとして斜めに持ち上げる第２工程と、
前記パネルの前面側より、前記斜めに持ち上げた取付ブラケットの下方を前記計器取付孔に挿入する第３工程と、
前記パネルの前面側より、前記計器取付孔に挿入した取付ブラケットの下方を前記パネルの背面側に落とし込みながら、前記取付ブラケットの上方を前記計器取付孔に挿入する第４工程と、
前記パネルの前面側より、前記計器取付孔を通り抜けた取付ブラケットを前記パネルの背面側に脱落させ、このパネルの背面側に脱落させた取付ブラケットと前記パネルの前面側に位置する機器後部との隙間で前記計器取付孔の周縁を挾むことにより、前記パネル計器を前記パネルに仮固定する第５工程と、
前記パネルの背面側より、前記取付ブラケットを前記パネル計器とともに持ち上げて、
前記機器後部の外周面を前記計器取付孔の内周面に当接させて、前記パネル計器を前記パネルに係止する第６工程と、
前記パネルの背面側より、前記パネルに係止されたパネル計器の機器後部の背面内の上方のネジ穴に緩く螺着されたネジを締め付けて、また前記機器後部の背面内の下方に設けられているネジ穴に前記取付ブラケットに形成されている貫通孔を通してネジを締め付けて、前記取付ブラケットを前記パネル計器に固定する第７工程と、
前記パネルの背面側より、前記パネル計器に固定された取付ブラケットを前記パネル計器の鍔部が前記パネルの前面に押し付けられるようにして固定する第８工程と
を備えることを特徴とするパネル計器の取付方法。
【請求項３】
請求項１又は２に記載されたパネル計器の取付方法において、
前記パネル計器は、
前記機器後部の背面に接続コネクタが突出して設けられ、
前記取付ブラケットは、
前記接続コネクタに対応する位置にこの接続コネクタを通す逃げ孔が形成されている    ことを特徴とするパネル計器の取付方法。
【発明の詳細な説明】
【技術分野】
【０００１】
本発明は、パネルに取り付けて使用されるパネル計器の取付方法およびパネル計器の取付構造に関する。
【背景技術】
【０００２】
従来より、入力機器からのデータを取り入れて出力機器の動作を制御する制御装置として、プロセスにおける温度・湿度・圧力・流量などを制御する制御装置が用いられている。
【０００３】
この制御装置は、温度・湿度・圧力・流量などの所定のパラメータを設定する操作部や制御する出力機器の状態などを表示する表示部を備え、この操作部や表示部が設けられた面を前面として制御盤などのパネルに取り付けて使用される（例えば、特許文献１〜４参照）。
【０００４】
なお、制御装置をパネルに取り付ける場合、制御装置全体をパネル計器として取り付ける場合もあるし、操作部や表示部が設けられた前面部を本体部と切り離して薄型のパネル計器とし、この薄型のパネル計器をパネルに取り付けて、リード線やコネクタなどで本体部と電気的に接続する場合もある。
【０００５】
図１２に制御装置全体をパネル計器とした場合の取付構造を示す。図１２（ａ）は正面図、図１２（ｂ）は側面図、図１２（ｃ）は背面図である。図１３にこのパネル計器の取付構造の分解斜視図を示す。図１２および図１３において、１００はパネル計器、１０１はパネル、１０２は取付器具である。
【０００６】
パネル計器１００は、表示・操作部（前面部）１００ａと本体部１００ｂとを備え、表示・操作部１００ａと本体部１００ｂとは一体とされている。また、表示・操作部１００ａには表示部１００ｃと操作部１００ｄとが設けられており、本体部１００ｂは表示・操作部１００ａの背面側に位置している。
【０００７】
このパネル計器１００において、表示・操作部１００ａの周縁は鍔部１００ｅとされている。すなわち、表示・操作部１００ａの幅（鍔部１００ｅの幅）Ｗ１よりも本体部１００ｂの幅Ｗ２が小さくされており、これにより表示・操作部１００ａの周縁が本体部１００ｂの外側にはみ出して鍔部１００ｅとされている。また、本体部１００ｂには、制御演算回路などの回路部が収容されている。
【０００８】
このパネル計器の取付構造では、図１４に示すように、ＤＩＮ（Deutsche Industrie Norme）規格のパネルカット寸法に従って、パネル１０１にａ×ｂの取付用の開口（計器取付孔）１０１ａを形成する。例えば、本体部１００ｂのサイズを９１．４ｍｍ×９１．４ｍｍとした場合、９２ｍｍ（ａ）×９２ｍｍ（ｂ）の計器取付孔１０１ａを形成する。
【０００９】
そして、本体部１００ｂをこの計器取付孔１０１ａに通してパネル１０１の背面側に位置させて、本体部１００ｂの上面および下面に取付器具１０２を取り付け、この取付器具１０２に取り付けられている取付ネジ１０３の先端をパネル１０１の背面に突き当てて、締め付けることによって、パネル計器１００をパネル１０１に固定する。
【００１０】
このパネル計器１００では、パネル１０１の背面に回って取付器具１０２を本体部１００ｂに取り付ける作業が必要となるが、本体部１００ｂの奥行き方向の長さが長いので、本体部１００ｂを計器取付孔１０１ａに係止させた状態でパネル１０１の背面に回っても、パネル１０１からパネル計器１００が脱落する虞はない。
【００１１】
一方、前面部を本体部から切り離した薄型のパネル計器では、この薄型のパネル計器を計器取付孔１０１ａに係止させてパネル１０１の背面に回ろうとした場合、パネル１０１の背面に回るまでの間にパネル計器がパネル１０１から脱落してしまう虞がある。このため、薄型のパネル計器では、パネル計器自体にバネ状の突起などの仮固定構造を設け、計器取付孔１０１ａに仮固定するようにしている。
【先行技術文献】
【特許文献】
【００１２】
【特許文献１】特開２００７−１３２８２７号公報
【特許文献２】特開２０１３−２４７２４９号公報
【特許文献３】特開２０１４−０３８８９２号公報
【特許文献４】特開２０１２−０２８４９３号公報
【発明の概要】
【発明が解決しようとする課題】
【００１３】
しかしながら、薄型のパネル計器に仮固定構造を設けると、パネル計器の構造が複雑となってしまう。また、パネル計器自体に仮固定構造を設けると、パネル計器の取りはずしが困難になる。
【００１４】
本発明は、このような課題を解決するためになされたもので、その目的とするところは、パネル計器自体に仮固定構造を設けることなく、パネルからの薄型のパネル計器の脱落を防ぐことが可能なパネル計器の取付方法およびパネル計器の取付構造を提供することにある。
【課題を解決するための手段】
【００１５】
このような目的を達成するために、本発明に係るパネル計器の取付方法（取付方法１）は、周縁に鍔部が設けられた前面部とこの前面部の背面側に位置する鍔部よりも幅の小さい機器後部とを備えたパネル計器を、機器後部をパネルに設けられた計器取付孔に嵌め込み、鍔部をパネルの前面に押し付けて、パネルに取り付けるパネル計器の取付方法であって、横幅が計器取付孔の横幅よりも短く、かつ、縦幅が計器取付孔の縦幅よりも長い取付ブラケットを、機器後部の背面内の上方に横方向に離間して設けられた少なくとも２箇所のネジ穴に取付ブラケットに形成されている貫通孔を通してネジを緩く螺着して、パネル計器に取り付ける第１工程と、パネル計器に取り付けられた取付ブラケットを機器後部の背面内の上方のネジ穴に緩く螺着されたネジの隙間を遊びとして斜めに持ち上げる第２工程と、パネルの前面側より、斜めに持ち上げた取付ブラケットの下方を計器取付孔に挿入する第３工程と、パネルの前面側より、計器取付孔に挿入した取付ブラケットの下方をパネルの背面側に落とし込みながら、取付ブラケットの上方を計器取付孔に挿入する第４工程と、パネルの前面側より、計器取付孔を通り抜けた取付ブラケットをパネルの背面側に位置させた状態で、機器後部の外周面を計器取付孔の内周面に当接させて、パネル計器をパネルに仮固定する第５工程と、パネルの背面側より、パネルに仮固定されたパネル計器の機器後部の背面内の上方のネジ穴に緩く螺着されたネジを締め付けて、また機器後部の背面内の下方に設けられているネジ穴に取付ブラケットに形成されている貫通孔を通してネジを締め付けて、取付ブラケットをパネル計器に固定する第６工程と、パネルの背面側より、パネル計器に固定された取付ブラケットをパネル計器の鍔部がパネルの前面に押し付けられるようにして固定する第７工程とを備えることを特徴とする。
【００１６】
この発明では、横幅が計器取付孔の横幅よりも短く、かつ、縦幅が計器取付孔の縦幅よりも長い取付ブラケットをネジを緩く螺着してパネル計器に取り付けた後、パネルの前面側より、取付ブラケットを計器取付孔に挿入して通り抜けさせ、この計器取付孔を通り抜けた取付ブラケットをパネルの背面側に位置させた状態で、機器後部の外周面を計器取付孔の内周面に当接させて、パネル計器をパネルに仮固定させる。この仮固定された状態では、パネル計器の鍔部と取付ブラケットとの間にパネルが挟まれるため、パネル計器がパネルから脱落する虞はない。仮に、パネル計器の機器後部が計器取付孔から脱落したとしても、この脱落した機器後部と取付ブラケットとの間の隙間で計器取付孔の周縁が挟まれる形となり、パネル計器がパネルから完全に落下してしまうということはない。本発明において、パネル計器自体には仮固定構造は設けられておらず、パネル計器を固定するための取付ブラケット（取付器具）がパネル計器の固定と仮固定とを兼ねる部材として用いられる。
【００１７】
また、本発明に係るパネル計器の取付方法（取付方法２）は、周縁に鍔部が設けられた前面部とこの前面部の背面側に位置する鍔部よりも幅の小さい機器後部とを備えたパネル計器を、機器後部をパネルに設けられた計器取付孔に嵌め込み、鍔部をパネルの前面に押し付けて、パネルに取り付けるパネル計器の取付方法であって、横幅が計器取付孔の横幅よりも短く、かつ、縦幅が計器取付孔の縦幅よりも長い取付ブラケットを、機器後部の背面内の上方に横方向に離間して設けられた少なくとも２箇所のネジ穴に取付ブラケットに形成されている貫通孔を通してネジを緩く螺着して、パネル計器に取り付ける第１工程と、パネル計器に取り付けられた取付ブラケットを機器後部の背面内の上方のネジ穴に緩く螺着されたネジの隙間を遊びとして斜めに持ち上げる第２工程と、パネルの前面側より、斜めに持ち上げた取付ブラケットの下方を計器取付孔に挿入する第３工程と、パネルの前面側より、計器取付孔に挿入した取付ブラケットの下方をパネルの背面側に落とし込みながら、取付ブラケットの上方を計器取付孔に挿入する第４工程と、パネルの前面側より、計器取付孔を通り抜けた取付ブラケットをパネルの背面側に脱落させ、このパネルの背面側に脱落させた取付ブラケットとパネルの前面側に位置する機器後部との隙間で計器取付孔の周縁を挾むことにより、パネル計器をパネルに仮固定する第５工程と、パネルの背面側より、取付ブラケットをパネル計器とともに持ち上げて、機器後部の外周面を計器取付孔の内周面に当接させて、パネル計器をパネルに係止する第６工程と、パネルの背面側より、パネルに係止されたパネル計器の機器後部の背面内の上方のネジ穴に緩く螺着されたネジを締め付けて、また機器後部の背面内の下方に設けられているネジ穴に取付ブラケットに形成されている貫通孔を通してネジを締め付けて、取付ブラケットをパネル計器に固定する第７工程と、パネルの背面側より、パネル計器に固定された取付ブラケットをパネル計器の鍔部がパネルの前面に押し付けられるようにして固定する第８工程とを備えることを特徴とする。
【００１８】
この発明では、横幅が計器取付孔の横幅よりも短く、かつ、縦幅が計器取付孔の縦幅よりも長い取付ブラケットをネジを緩く螺着してパネル計器に取り付けた後、パネルの前面側より、取付ブラケットを計器取付孔に挿入して通り抜けさせ、この計器取付孔を通り抜けた取付ブラケットをパネルの背面側に脱落させ、このパネルの背面側に脱落させた取付ブラケットとパネルの前面側に位置する機器後部との隙間で計器取付孔の周縁を挾むことにより、パネル計器をパネルに仮固定させる。この仮固定された状態では、パネルの背面側に位置する取付ブラケットとパネルの前面側に位置する機器後部との隙間で計器取付孔の周縁が挟まれるため、パネル計器がパネルから脱落する虞はない。この発明においても、パネル計器自体には仮固定構造は設けられておらず、パネル計器を固定するための取付ブラケット（取付器具）がパネル計器の固定と仮固定とを兼ねる部材として用いられる。
【００１９】
また、本発明に係るパネル計器の取付構造は、周縁に鍔部が設けられた前面部とこの前面部の背面側に位置する鍔部よりも幅の小さい機器後部とを備えるパネル計器と、パネル計器の鍔部を前面に位置させて機器後部が嵌め込まれる計器取付孔が形成されたパネルと、横幅が計器取付孔の横幅よりも短く、かつ、縦幅が計器取付孔の縦幅よりも長い取付ブラケットとを備え、パネル計器は、機器後部の背面内の上方に横方向に離間して設けられた少なくとも２箇所のネジ穴と、機器後部の背面内の下方に設けられた少なくとも１箇所のネジ穴とを備え、取付ブラケットは、機器後部の背面内の上方に設けられたネジ穴および下方に設けられたネジ穴に対応する位置に貫通孔が形成されていることを特徴とする。
【００２０】
この発明において、取付ブラケットは、横幅が計器取付孔の横幅よりも短く、かつ、縦幅が計器取付孔の縦幅よりも長くされている。また、また、パネル計器には、機器後部の背面内の上方に横方向に離間して少なくとも２箇所のネジ穴が設けられ、機器後部の背面内の下方に少なくとも１箇所のネジ穴が設けられており、取付ブラケットには、機器後部の背面内の上方に設けられたネジ穴および下方に設けられたネジ穴に対応する位置に貫通孔が設けられている。これにより、取付ブラケットをパネルに形成された計器取付孔に通して、上述したパネル計器の取付方法１，２を実現することが可能となる。
【発明の効果】
【００２１】
本発明によれば、パネルの前面側より、計器取付孔に取付ブラケットを挿入して通り抜けさせ、この計器取付孔を通り抜けた取付ブラケットをパネルの背面側に位置させた状態で、機器後部の外周面を計器取付孔の内周面に当接させるようにしたり、この計器取付孔を通り抜けた取付ブラケットをパネルの背面側に脱落させ、このパネルの背面側に脱落させた取付ブラケットとパネルの前面側に位置する機器後部との隙間で計器取付孔の周縁を挾むようにしたりして、パネル計器をパネルに仮固定することによって、パネル計器自体に仮固定構造を設けることなく、パネルからの薄型のパネル計器の脱落を防ぐことが可能となる。
【図面の簡単な説明】
【００２２】
【図１】図１は、本発明の実施の形態に係るパネル計器の正面図、側面図および平面図である。
【図２】図２は、このパネル計器の背面図である。
【図３】図３は、このパネル計器の取付構造を示す正面図、側面図および背面図である。
【図４】図４は、このパネル計器の取付構造の分解斜視図である。
【図５】図５は、このパネル計器をパネルに取り付ける際に形成する計器取付孔を示す図である。
【図６】図６は、このパネル計器の取付構造においてパネル計器の機器後部を計器取付孔に係止させただけではパネルから脱落する可能性があることを説明する図である。
【図７Ａ】図７Ａは、取付ブラケットを用いたパネル計器の取付方法の第１例における第１工程を説明する図である。
【図７Ｂ】図７Ｂは、取付ブラケットを用いたパネル計器の取付方法の第１例における第２工程を説明する図である。
【図７Ｃ】図７Ｃは、取付ブラケットを用いたパネル計器の取付方法の第１例における第３工程を説明する図である。
【図７Ｄ】図７Ｄは、取付ブラケットを用いたパネル計器の取付方法の第１例における第４工程を説明する図である。
【図７Ｅ】図７Ｅは、取付ブラケットを用いたパネル計器の取付方法の第１例における第５工程を説明する図である。
【図７Ｆ】図７Ｆは、取付ブラケットを用いたパネル計器の取付方法の第１例における第６工程を説明する図である。
【図７Ｇ】図７Ｇは、取付ブラケットを用いたパネル計器の取付方法の第１例における第７工程を説明する図である。
【図７Ｈ】図７Ｈは、取付ブラケットを用いたパネル計器の取付方法の第１例においてパネル計器の機器後部が計器取付孔から脱落したときの状態を示す図である。
【図８】図８は、このパネル計器をパネルに取り付ける際に用いる取付ブラケットの側面図および背面図である。
【図９】図９は、この取付ブラケットを用いたパネルへのパネル計器の固定状態を示す側面図および背面図である。
【図１０Ａ】図１０Ａは、取付ブラケットを用いたパネル計器の取付方法の第２例における第１工程を説明する図である。
【図１０Ｂ】図１０Ｂは、取付ブラケットを用いたパネル計器の取付方法の第２例における第２工程を説明する図である。
【図１０Ｃ】図１０Ｃは、取付ブラケットを用いたパネル計器の取付方法の第２例における第３工程を説明する図である。
【図１０Ｄ】図１０Ｄは、取付ブラケットを用いたパネル計器の取付方法の第２例における第４工程を説明する図である。
【図１０Ｅ】図１０Ｅは、取付ブラケットを用いたパネル計器の取付方法の第２例における第５工程を説明する図である。
【図１０Ｆ】図１０Ｆは、取付ブラケットを用いたパネル計器の取付方法の第２例における第６工程を説明する図である。
【図１０Ｇ】図１０Ｇは、取付ブラケットを用いたパネル計器の取付方法の第２例における第７工程を説明する図である。
【図１０Ｈ】図１０Ｈは、取付ブラケットを用いたパネル計器の取付方法の第２例における第８工程を説明する図である。
【図１１】図１１は、パネル計器とパネルとの間にガスケットを介在させるようにした例を示す図である。
【図１２】図１２は、制御装置全体をパネル計器とした場合の取付構造を示す正面図、側面図および背面図である。
【図１３】図１３は、このパネル計器の取付構造の分解斜視図である。
【図１４】図１４は、このパネル計器をパネルに取り付ける際に形成する計器取付孔を示す図である。
【発明を実施するための形態】
【００２３】
以下、本発明の実施の形態を図面に基づいて詳細に説明する。図１に本発明の実施の形態に係るパネル計器１の正面図（図１（ａ））、側面図（図１（ｂ））および平面図（図１（ｃ））を示す。また、図２にこのパネル計器１の背面図（図１（ｂ）におけるＡ方向から見た図）を示す。
【００２４】
このパネル計器１は、表示・操作部（前面部）１ａと、この表示・操作部１ａの背面側に位置する機器後部１ｂとを備え、表示・操作部１ａと機器後部１ｂとは一体とされている。また、表示・操作部１ａには表示部１ｃと操作部１ｄとが設けられており、表示・操作部１ａの周縁は鍔部１ｅとされている。すなわち、表示・操作部１ａの幅（鍔部１ｅの幅）Ｗ１よりも機器後部１ｂの幅Ｗ２が小さくされており、これにより表示・操作部１ａの周縁が機器後部１ｂの外側にはみ出して鍔部１ｅとされている。
【００２５】
また、機器後部１ｂの背面には、計器本体（図示せず）との接続用のコネクタ１ｆが突出して設けられている。このパネル計器１を用いた場合、計器本体（本体部）は、パネル計器１とは別体として設けられる。すなわち、パネル計器１の表示・操作部１ａの背面には本体部はなく、本体部をなくすことによってパネル計器１の薄型化が図られている。
【００２６】
また、機器後部１ｂの背面には、４隅にネジ穴１ｇが形成されている。すなわち、機器後部１ｂの背面内の上方にネジ穴１ｇが横方向に離間して２箇所形成されており、下方にネジ穴１ｇが横方向に離間して２箇所形成されている。ここでは、上方の２箇所のネジ穴１ｇをｇ１，１ｇ２とし、下方のネジ穴１ｇを１ｇ３，１ｇ４とする。
【００２７】
〔パネル計器の取り付け〕
図３にこのパネル計器１の取付構造を示す。図３（ａ）は正面図、図３（ｂ）は側面図、図３（ｃ）は背面図である。図４にこのパネル計器１の取付構造の分解斜視図を示す。
【００２８】
図３および図４において、２はパネル、３は取付ブラケット、４は取付ブラケット３の上方および下方に取り付けられているパネル計器固定用の取付ネジ（２箇所）、５は取付ブラケット固定用のネジ（４箇所）である。
【００２９】
なお、取付ブラケット３には、ネジ５用の貫通孔３ａ（４箇所）が形成されている。また、取付ブラケット３には、この取付ブラケット３をパネル計器１の機器後部１ｂの背面に固定した際、機器後部１ｂの背面に突出しているコネクタ１ｆを通す逃げ孔の役割を果たす開口３ｂが形成されている。この例では、開口３ｂが４箇所形成されているが、その１箇所をコネクタ１ｆ用の逃げ孔として用いる。
【００３０】
このパネル計器１の取付構造では、図５に示すように、ＤＩＮ規格のパネルカット寸法に従って、パネル２にａ×ｂの取付用の開口（計器取付孔）２ａを形成する。例えば、パネル計器１の機器後部１ｂのサイズを９１．４ｍｍ×９１．４ｍｍとした場合、９２ｍｍ（ａ）×９２ｍｍ（ｂ）の計器取付孔２ａを形成する。
【００３１】
本実施の形態では、この計器取付孔２ａにパネル計器１の機器後部１ｂを挿入し、パネル２の背面側から取付ブラケット３を用いてパネル計器１をパネル２に固定する。この場合、図６に示すように、計器取付孔２ａにパネル計器１の機器後部１ｂを係止させてパネル２の背面に回ろうとすると、機器後部１ｂの奥行き方向の長さが短い（厚さが薄い）ために、パネル２の背面に回るまでの間にパネル計器１がパネル２から脱落してしまう可能性がある。
【００３２】
そこで、本実施の形態では、取付ブラケット３の横幅ｃを計器取付孔２ａの横幅ａよりも短く（ｃ＜ａ）、かつ、縦幅ｄを計器取付孔２ａの縦幅ｂよりも長くし（ｄ＞ｂ）、先に取付ブラケット３をパネル計器１の機器後部１ｂの背面の上方に緩くネジ止めし、この緩くネジ止めされた取付ブラケット３をパネル２の前面側から計器取付孔２ａに挿入して通り抜けさせてパネル２の背面側に位置させるとともに、パネル計器１の機器後部１ｂを計器取付孔２ａに係止させて仮固定するものとし、この仮固定した状態でパネル２の背面側から取付ブラケット３を用いてパネル計器１をパネル２に固定するようにしている。
【００３３】
図８に取付ブラケット３の側面図（図８（ａ））および背面図（図８（ｂ））を示す。この取付ブラケット３は、上述したように、横幅ｃが計器取付孔２ａの横幅ａよりも短く、縦幅ｄが計器取付孔２ａの縦幅ｂよりも長くされている。また、ネジ５用の貫通孔３ａが上方に２箇所、下方に２箇所、合計４箇所形成されている。ここでは、上方の２箇所の貫通孔３ａを３ａ１，３ａ２とし、下方の２箇所の貫通孔３ａを３ａ３，３ａ４とする。
【００３４】
この取付ブラケット３において、上方の貫通孔３ａ１および３ａ２は、パネル計器１の機器後部１ｂの背面に形成されている上方のネジ穴１ｇ１および１ｇ２に対応する位置に形成されており、下方の貫通孔３ａ３および３ａ４はパネル計器１の機器後部１ｂの背面に形成されている下方のネジ穴１ｇ３および１ｇ４に対応する位置に形成されている。また、取付ブラケット３には、機器後部１ｂの背面に突出しているコネクタ１ｆを通す逃げ孔の役割を果たす開口３ｂが４箇所形成されており、上方および下方の鍔面３ｃ（３ｃ１，３ｃ２）にはパネル計器固定用の取付ネジ４が取り付けられている。
【００３５】
以下、この取付ブラケット３を用いたパネル２へのパネル計器１の取付方法について、具体的に説明する。
【００３６】
〔パネル計器の取付方法の第１例〕
先ず、取付ブラケット３を用いたパネル２へのパネル計器１の取付方法の第１例について、図７Ａ〜図７Ｈを用いて説明する。
【００３７】
〔第１工程：図７Ａ〕
第１工程では、 図７Ａに示すように、パネル計器１の機器後部１ｂの背面内の上方のネジ穴１ｇ１，１ｇ２に、取付ブラケット３に形成されている貫通孔３ａ１，３ａ２を通してネジ５，５を緩く螺着して、取付ブラケット３をパネル計器１に取り付ける。
【００３８】
この例では、ネジ５，５の首下と取付ブラケット３との間に０．５ｍｍ程度の隙間が生じるように、ネジ５，５を貫通孔３ａ１，３ａ２を通してネジ穴１ｇ１，１ｇ２に緩く螺着する。
【００３９】
〔第２工程：図７Ｂ〕
第２工程では、図７Ｂに示すように、機器後部１ｂの背面内の上方のネジ穴１ｇ１，１ｇ２に緩く螺着されたネジ５，５の隙間を遊びとして、パネル計器１に取り付けられた取付ブラケット３を斜めに持ち上げる。
【００４０】
すなわち、機器後部１ｂの背面内の上方のネジ穴１ｇ１，１ｇ２にネジ５，５を緩く螺着しているので、ネジ５，５の首下と取付ブラケット３との間の隙間だけ取付ブラケット３を斜めに持ち上げることができる。この例では、１０゜程度（α≒１０゜）、取付ブラケット３を持ち上げる。なお、パネル２にパネル計器１と取付ブラケット３を挟み込めるだけの隙間ができるようにすればよく、斜めに持ち上げる角度αは１０゜程度に限られるものではない。
【００４１】
〔第３工程：図７Ｃ〕
第３工程では、図７Ｃに示すように、パネル２の前面側より、斜めに持ち上げた取付ブラケット３の下方を計器取付孔２ａに挿入する。すなわち、取付ブラケット３が取り付けられたパネル計器１全体を上に持ち上げ、斜めとされている取付ブラケット３の下方を計器取付孔２ａに挿入する。取付ブラケット３は、その横幅ｃが計器取付孔２ａの横幅ａよりも短くされているので、取付ブラケット３の下方を計器取付孔２ａに挿入することができる。
【００４２】
〔第４工程：図７Ｄ〕
第４工程では、図７Ｄに示すように、パネル２の前面側より、計器取付孔２ａに挿入した取付ブラケット３の下方をパネル２の背面側に落とし込みながら、取付ブラケット３の上方を計器取付孔２ａに挿入する。すなわち、取付ブラケット３が取り付けられたパネル計器１全体を下に下げ、取付ブラケット３の上方を潜らせるようにして計器取付孔２ａに挿入する。
【００４３】
〔第５工程：図７Ｅ〕
第５工程では、図７Ｅに示すように、計器取付孔２ａを通り抜けた取付ブラケット３をパネル計器１とともに持ち上げて、パネル計器１の機器後部１ｂの外周面１ｈを計器取付孔２ａの内周面２ｂに当接させる。機器後部１ｂの外径は計器取付孔２ａの内径よりも僅かに小さくされているので、機器後部１ｂの外周面１ｈの下側の端面（底面）と計器取付孔２ａの内周面２ｂの下側の端面（底面）とが当接する。これにより、パネル計器１がパネル２に仮固定される。
【００４４】
この仮固定された状態では、パネル計器１の鍔部１ｅと取付ブラケット３との間にパネル２が挟まり、取付ブラケット３や鍔部１ｅがパネル２に引っ掛かるため、パネル計器１の機器後部１ｂが計器取付孔２ａから脱落する可能性は少ない。
【００４５】
仮に、パネル計器１の機器後部１ｂが計器取付孔２ａから脱落したとしても、図７Ｈに示されるように、脱落したパネル計器１の機器後部１ｂと取付ブラケット３との間の隙間で計器取付孔２ａの底部（周縁）が挟まれるため、パネル計器１がパネル２から完全に落下してしまうということはない。
【００４６】
〔第６工程：図７Ｆ〕
第６工程では、図７Ｆに示すように、パネル２の背面に回り、このパネル２の背面側より、パネル２に仮固定されているパネル計器１の機器後部１ｂのネジ穴１ｇ１，１ｇ２に緩く螺着されているネジ５，５を締め付けて、また機器後部１ｂのネジ穴１ｇ３，１ｇ４に貫通孔３ａ２，３ａ４を通してネジ５，５を締め付けて、取付ブラケット３をパネル計器１に固定する。
【００４７】
〔第７工程：図７Ｇ〕
第７工程では、図７Ｇに示すように、パネル２の背面側より、取付ブラケット３の上方および下方に取り付けられている取付ネジ４を回し、この取付ネジ４の先端をパネル２の背面に突き当てて、締め付けることによって、パネル計器１をパネル２に固定する。すなわち、パネル２の背面側から取付ネジ４を締め付けることによって、パネル２とパネル計器１との間にネジ軸力の反力を生じさせ、パネル計器１をパネル２に固定する。
【００４８】
この取付ブラケット３を用いたパネル計器１のパネル２への固定状態を図９に拡大して示す。図９（ａ）は側面図、図９（ｂ）は背面図であり、取付ネジ４を締め付けるとパネル２とパネル計器１との間にネジ軸力の反力が生じるため、パネル計器１の鍔部１ｅがパネル２の前面に押し付けられ、このパネル計器１の鍔部１ｅと取付ブラケット３との間に挟まれてパネル計器１がパネル２に固定される。
【００４９】
以上の説明から分かるように、このパネル計器の取付方法の第１例では、計器取付孔２ａに取付ブラケット３を挿入して通り抜けさせ、この計器取付孔２ａを通り抜けた取付ブラケット３をパネル２の背面側に位置させた状態で、機器後部１ｂの外周面１ｈを計器取付孔２ａの内周面２ｂに当接させるようにして、パネル計器１をパネル２に仮固定するようにしているので、パネル計器１自体に仮固定構造を設けることなく、パネル２からのパネル計器１（薄型のパネル計器）の脱落を防ぐことができるようになる。
【００５０】
〔パネル計器の取付方法の第２例〕  
次に、取付ブラケット３を用いたパネル２へのパネル計器１の取付方法の第２例について、図１０Ａ〜図１０Ｈを用いて説明する。
【００５１】
図１０Ａ〜図１０Ｄまでの工程（第１工程〜第４工程）は、上述したパネル計器の取付方法の第１例で説明した図７Ａ〜図７Ｄまでの工程（第１工程〜第４工程）と同じであるのでその説明は省略する。
【００５２】
このパネル計器の取付方法の第２例では、第４工程（図１０Ｄ）において取付ブラケット３の上方を潜らせるようにして計器取付孔２ａに挿入した後、取付ブラケット３を上に持ち上げるのではなく、そのまま落下させる。
【００５３】
この場合、図１０Ｅに示すように、パネル計器１の機器後部１ｂと取付ブラケット３との間の隙間で計器取付孔２ａの底部（周縁）が挟まれ、それ以上の取付ブラケット３の落下が阻止される。この状態をパネル計器１がパネル２に仮固定された状態とする（図１０Ｅ（第５工程））。
【００５４】
すなわち、パネル計器の取付方法の第２例では、パネル計器の取付方法の第１例における図７Ｈに示された状態（パネル計器１の機器後部１ｂが計器取付孔２ａから脱落した状態）を作り出し、この状態を仮固定された状態とする。
【００５５】
そして、パネル２の背面に回り、このパネル２の背面側より、取付ブラケット３をパネル計器１とともに持ち上げて、機器後部１ｂの外周面１ｈを計器取付孔２ａの内周面２ｂに当接させる（図１０Ｆ（第６工程））。これにより、パネル２の背面側において、パネル計器１がパネル２に係止される。
【００５６】
この後、図７Ｆ、図７Ｇと同様にして、パネル計器１をパネル２に固定する。すなわち、パネル２に係止されているパネル計器１の機器後部１ｂの背面にネジ５を締め付けることによって取付ブラケット３を固定し（図１０Ｇ（第７工程））、取付ブラケット３の上方および下方に取り付けられている取付ネジ４を締め付けることによってパネル計器１をパネル２に固定する（図１０Ｈ（第８工程））。
【００５７】
以上の説明から分かるように、このパネル計器の取付方法の第２例では、計器取付孔２ａに取付ブラケット３を挿入して通り抜けさせ、この計器取付孔２ａを通り抜けた取付ブラケット３をパネル２の背面側に脱落させ、このパネル２の背面側に脱落させた取付ブラケット３とパネル２の前面側に位置する機器後部１ｂとの隙間で計器取付孔２ａの底部（周縁）を挾むようにして、パネル計器１をパネル２に仮固定するようにしているので、パネル計器１自体に仮固定構造を設けることなく、パネル２からのパネル計器１（薄型のパネル計器）の脱落を防ぐことができるようになる。
【００５８】
なお、上述した実施の形態では、パネル計器１に固定する前に取付ブラケット３に取付ネジ４を取り付けておくようにしたが、パネル２の背面に回った後に取付ブラケット３に取付ネジ４を取り付けて、締め付けるようにしてもよい。
【００５９】
また、上述した実施の形態では、取付ブラケット３を上方２箇所、下方２箇所、合計４箇所でパネル計器１の機器後部１ｂの背面にネジ５で固定するようにしたが、必ずしも４箇所に限られるものではない。すなわち、上方は取付ブラケット３の回り止めを行うものとして少なくとも２箇所あればよく、下方は１箇所であっても構わない。
【００６０】
また、上述した実施の形態では、パネル計器１の鍔部１ｅの背面をパネル２の前面に当接させるようにしてパネル計器１をパネル２に取り付けるようにしているが、図１１に示すように、パネル計器１の鍔部１ｅの背面と計器取付孔２ａの縁面との間にガスケット６を介在させるようにしてもよい。このようにすると、パネル計器１の鍔部１ｅの背面と計器取付孔２ａの縁面とでガスケット６が挾圧され、この挾圧された面がシール面となって、パネル計器１の鍔部１ｅとパネル２との隙間が塞がれ、防水・防塵の機能が保障される。
【００６１】
また、上述した実施の形態では、パネル計器１の表示・操作部１ａに表示部１ｃと操作部１ｄとが設けられているものとしたが、表示部１ｃだけが設けられていてもよく、操作部１ｄだけが設けられていてもよい。
【００６２】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【産業上の利用可能性】
【００６３】
本発明は、パネルに取り付けて使用される温度調節器などに利用することが可能である。
【符号の説明】
【００６４】
１…パネル計器、１ａ…表示・操作部（前面部）、１ｂ…機器後部、１ｃ…表示部、１ｄ…操作部、１ｅ…鍔部、１ｇ（１ｇ１〜１ｇ４）…ネジ穴、１ｈ…外周面、２…パネル、２ａ…開口（計器取付孔）、２ｂ…内周面、３…取付ブラケット、３ａ（３ａ１〜３ａ４）…貫通孔、４…取付ネジ、５…ネジ。
【図１】
0006630127.tif 000002
【図２】
0006630127.tif 000003
【図３】
0006630127.tif 000004
【図４】
0006630127.tif 000005
【図５】
0006630127.tif 000006
【図６】
0006630127.tif 000007
【図７Ａ】
0006630127.tif 000008
【図７Ｂ】
0006630127.tif 000009
【図７Ｃ】
0006630127.tif 000010
【図７Ｄ】
0006630127.tif 000011
【図７Ｅ】
0006630127.tif 000012
【図７Ｆ】
0006630127.tif 000013
【図７Ｇ】
0006630127.tif 000014
【図７Ｈ】
0006630127.tif 000015
【図８】
0006630127.tif 000016
【図９】
0006630127.tif 000017
【図１０Ａ】
0006630127.tif 000018
【図１０Ｂ】
0006630127.tif 000019
【図１０Ｃ】
0006630127.tif 000020
【図１０Ｄ】
0006630127.tif 000021
【図１０Ｅ】
0006630127.tif 000022
【図１０Ｆ】
0006630127.tif 000023
【図１０Ｇ】
0006630127.tif 000024
【図１０Ｈ】
0006630127.tif 000025
【図１１】
0006630127.tif 000026
【図１２】
0006630127.tif 000027
【図１３】
0006630127.tif 000028
【図１４】
0006630127.tif 000029